【手続補正書】
【提出日】平成27年11月20日(2015.11.20)
【手続補正１】
【補正対象書類名】特許請求の範囲
【補正対象項目名】請求項８
【補正方法】変更
【補正の内容】
【請求項８】
前記作業データ管理装置は、
前記子機との間で無線による信号の送受信を行う第２の無線送受信部と、
前記第２の無線送受信部による受信信号の信号処理と前記第２の無線送受信部へ送出する送信信号の信号処理を行う第２の信号処理部と、
前記第２の信号処理部が前記子機からの前記作業経過時間および前記実績完了数の信号を検出するたびに、前記作業経過時間を前記実績完了数で除算して実績ピッチタイムとし、さらに現在時刻以降も現在の前記実績ピッチタイムをもって作業続行すると仮定して、既定の作業終了時刻までに達成すべきとしてあらかじめ設定した目標数の単位作業完了を達成すると予測される予測の作業終了時刻を算出し、取得した前記予測の作業終了時刻と前記既定の作業終了時刻との差分である予測の残業時間を算出する第２の演算処理部と、
前記第２の演算処理部による前記予測の残業時間の情報を表示する表示部とを備えたものとして構成されている請求項２に記載の無線式作業管理システム。
【手続補正２】
【補正対象書類名】明細書
【補正対象項目名】００１４
【補正方法】変更
【補正の内容】
【００１４】
【図１】本発明の実施の形態１の無線式作業管理システムの構成を概略的に示す構成概念図
【図２】本発明の実施の形態１の無線式作業管理システムの動作原理説明図
【図３】本発明の実施の形態２の無線式作業管理システムの構成を概略的に示す構成概念図
【図４】本発明の実施の形態２の無線式作業管理システムの動作原理説明図
【図５】本発明の実施例の無線式作業管理システムの適用例を示す縫製システムの概念構成図
【図６】本発明の実施例において、縫製ラインをより詳しく示す縫製システムの概念構成図
【図７】本発明の実施例において、作業データ管理装置における表示部のディスプレイ画面で表示される作業進捗状況管理テーブル表示の図
【図８】本発明の実施例の無線式作業管理システムの動作原理説明図
【図９】本発明の他の実施例において、ひとり一人の作業者がどのラインのどの工程に従事しているかをまとめた基礎的なデータテーブル表示の図
【図１０】本発明の実施例における無線式作業管理システムのメニュー表示の図
【図１１】本発明の実施例におけるメニューの「モニタリング／ＯＰ」での初期画面表示の図
【図１２】本発明の実施例におけるメニューの「モニタリング／ライン」での初期画面表示の図
【図１３】本発明の実施例におけるメニューの「モニタリング／全ＯＰ」での初期画面表示の図
【図１４】本発明の実施例における時間帯別出来高グラフ表示の図
【図１５】本発明の実施例の無線式作業管理システムの動作を示すフローチャート
【図１６】本発明の実施例における進度の演算処理のサブルーチンを示すフローチャート
【図１７】本発明の実施例における達成率の演算処理のサブルーチンを示すフローチャート
【図１８】本発明の実施例における予測完了数の演算処理のサブルーチンを示すフローチャート
【図１９】本発明の実施例における予測の作業終了時刻の演算処理のサブルーチンを示すフローチャート
【図２０】本発明の実施例における予測の残業時間の演算処理のサブルーチンを示すフローチャート
【図２１】本発明の実施例におけるメニュー切り替えのサブルーチンを示すフローチャート
【図２２】本発明の実施例におけるグラフ表示のサブルーチンを示すフローチャート
【手続補正３】
【補正対象書類名】明細書
【補正対象項目名】００４１
【補正方法】変更
【補正の内容】
【００４１】
次いで時刻ｔ２で２回目の単位作業完了報告が入力されると、実績完了数Ｍｉ＝２が作業経過時間Ｔｉ＝Ｔ２（＝ｔ２）とともに第１の演算処理部１３の内蔵メモリに記憶され、作業データ管理装置２０からのポーリングに応答して２回目のセット信号（２，Ｔ２）が作業データ管理装置２０に送信される。
【手続補正４】
【補正対象書類名】明細書
【補正対象項目名】００４９
【補正方法】変更
【補正の内容】
【００４９】
既定の作業終了時刻ｔeというのは、その業務日において日常的に定められている定刻の就業活動終了時刻（終業時刻）である。目標数Ｍ０とは、単位作業の出来高につき、既定の作業終了時刻ｔeまでの作業で達成すべきとしてあらかじめ設定した目標の数量である。例えば、Ｔシャツの縫製の作業につき、１日に１１０枚の縫製を目標としているとする。その縫製の単位作業である例えば袖の縫い付けも同様に１日に１１０枚分を仕上げる必要がある。定刻の就業活動終了時刻を午後６時とすると、その午後６時までの袖の縫い付け１１０枚分が目標数Ｍ０としてあらかじめ設定される。原点と座標点（Ｍ０，ｔe）とを結ぶ破線で表す直線の特性曲線Ｑ０は、理想的な推移を表している。この理想的な推移の特性曲線Ｑ０より下方にくる特性曲線（図示せず）は、単位作業の実績の速度が理想の速度よりも速いことを意味し、逆に、図示のように理想的な推移の特性曲線Ｑ０より上方にくる特性曲線Ｑ１は、単位作業の実績の速度が理想の速度よりも遅いことを意味している。ちなみに、設定ピッチタイムＰ０は、Ｐ０＝Ｔ０／Ｍ０であるが、座標点（Ｍｉ，ｔｊ）での実績ピッチタイムＰｉ（＝Ｔｉ／Ｍｉ）は、設定ピッチタイムＰ０（＝Ｔ０／Ｍ０）よりも大きくなっている。このことは、実績が計画（理想）よりも遅れていることを意味している。
【手続補正５】
【補正対象書類名】明細書
【補正対象項目名】００５３
【補正方法】変更
【補正の内容】
【００５３】
作業データ管理装置２０において表示部２５を監視している監督者は、ラインの最終工程（＃end）における子機１０について、その予測完了数Ｍｘ（＃end）に着目する。このライン最終工程での予測完了数Ｍｘ（＃end）が目標数Ｍ０に達していれば、製品の納期遅れはないものと安心できる。あるいは、目標数Ｍ０に達していなくても、目標数Ｍ０との差分が小さければ、取り敢えず一応は安心とできる。目標数Ｍ０との差分が大きければ、納期を守るべく事前に対策を講じることが可能である。例えば、未熟練作業者の部署に熟練作業者を応援にあてるとか、作業者に対し残業の予定を通告するなどである。
【手続補正６】
【補正対象書類名】明細書
【補正対象項目名】００５４
【補正方法】変更
【補正の内容】
【００５４】
監督者はまた、どの子機の作業者がどの程度の進捗状況かを一目瞭然に判別できる。ある作業者は、このままの推移で既定の作業終了時刻ｔｅにちょうど目標数Ｍ０と同数の出来高をあげ、別のある作業者は、このままの推移では既定の作業終了時刻ｔｅには出来高が目標数Ｍ０を上回り、また別のある作業者は、このままの推移では既定の作業終了時刻ｔｅには出来高が目標数Ｍ０を下回ってしまう、といったことを事前に容易に捕捉することができる。
【手続補正７】
【補正対象書類名】明細書
【補正対象項目名】０１７２
【補正方法】変更
【補正の内容】
【０１７２】
ステップＳ３３では、予測情報表示モードへの切り替え操作があったかを判断する。ここでの予測情報表示モードへの切り替えとは、図７に例示する作業進捗状況管理テーブル表示５０の表示画面への切り替えのことである。その切り替えの操作がなければ、ステップＳ３４に進み、その切り替えの操作があれば、ステップＳ１１（図１５参照）へと移行する。
【手続補正８】
【補正対象書類名】明細書
【補正対象項目名】０１７８
【補正方法】変更
【補正の内容】
【０１７８】
ステップＳ４３では、図７に例示する作業進捗状況管理テーブル表示５０の表示画面への切り替えを意味する予測情報表示モードへの切り替え操作があったかを判断する。その切り替えの操作がなければ、ステップＳ４４に進み、その切り替えの操作があれば、ステップＳ１１（図１５参照）へと移行する。
【手続補正９】
【補正対象書類名】明細書
【補正対象項目名】０１８５
【補正方法】変更
【補正の内容】
【０１８５】
ステップＳ５３では、図７に例示する作業進捗状況管理テーブル表示５０の表示画面への切り替えを意味する予測情報表示モードへの切り替え操作があったかを判断する。その切り替えの操作がなければ、ステップＳ５４に進み、その切り替えの操作があれば、ステップＳ１１（図１５参照）へと移行する。